(57)【特許請求の範囲】
【請求項１】
送信側から所定の固定パターンを含んだ信号を受け取り、当該所定の固定パターンを用いて周波数オフセットの補正値を推定する周波数オフセット補正値推定手段と、
前記補正値に基づいて受信信号の周波数オフセットを補正する周波数オフセット補正手段と、
前記補正後の受信信号を受け取り、当該受信信号を、既知のアルゴリズムを利用した等化器を用いて復調する等化手段と、
を備え、
前記周波数オフセット補正値推定手段が、
前記所定の固定パターンとして、位置の異なる同一の第１固定パターンを受け取り、当該第１固定パターンを用いて受信信号の周波数オフセットを推定する第１の周波数オフセット推定手段と、
前記所定の固定パターンとして、前記第１の周波数オフセット推定手段に用いられる第１固定パターン以外でかつ位置の異なる、同一の第２固定パターンを受け取り、当該第２固定パターンを用いて受信信号の周波数オフセットを推定する第２の周波数オフセット推定手段と、
伝送路の状態に応じていずれか一方の周波数オフセットの推定値を選択する推定値選択手段と、
前記選択結果に基づいて前記推定値の出力を切り替える推定値切替え手段と、
を備えることを特徴とする無線通信用受信装置。
【請求項２】
さらに、前記周波数オフセット補正値推定手段にて所定回数にわたって計算された補正値を平均化する平均化手段と、
前記平均化結果をフィードバックして後続の受信信号の周波数オフセットを補正するフィードバック補正手段と、
を備え、
前記周波数オフセット補正手段が、前記フィードバック補正手段にて補正できなかった周波数オフセット成分に対して補正を行うことを特徴とする請求項１に記載の無線通信用受信装置。
【請求項３】
さらに、前記周波数オフセット補正値推定手段にて所定回数にわたって計算された補正値を平均化する平均化手段、
を備え、
前記平均化結果に基づいて受信側における発振器を直接制御することで後続の受信信号の周波数オフセットを補正し、
さらに、前記周波数オフセット補正手段が、前記発振器にて補正できなかった周波数オフセット成分に対して補正を行うことを特徴とする請求項１に記載の無線通信用受信装置。
【請求項４】
送信側から所定の固定パターンを含んだ信号を受け取り、当該所定の固定パターンを用いて周波数オフセットの補正値を推定する周波数オフセット補正値推定手段と、
前記周波数オフセット補正値推定手段にて所定回数にわたって計算された補正値を平均化する平均化手段と、
前記平均化結果をフィードバックして後続の受信信号の周波数オフセットを補正するフィードバック補正手段と、
前記補正後の受信信号を受け取り、当該受信信号を、既知のアルゴリズムを利用した等化器を用いて復調する等化手段と、
を備え、
前記周波数オフセット補正値推定手段が、
前記所定の固定パターンとして、位置の異なる同一の第１固定パターンを受け取り、当該第１固定パターンを用いて受信信号の周波数オフセットを推定する第１の周波数オフセット推定手段と、
前記所定の固定パターンとして、前記第１の周波数オフセット推定手段に用いられる第１固定パターン以外でかつ位置の異なる、同一の第２固定パターンを受け取り、当該第２固定パターンを用いて受信信号の周波数オフセットを推定する第２の周波数オフセット推定手段と、
伝送路の状態に応じていずれか一方の周波数オフセットの推定値を選択する推定値選択手段と、
前記選択結果に基づいて前記推定値の出力を切り替える推定値切替え手段と、
を備えることを特徴とする無線通信用受信装置。
【請求項５】
送信側から所定の固定パターンを含んだ信号を受け取り、当該所定の固定パターンを用いて周波数オフセットの補正値を推定するＰ（任意の整数）系統の周波数オフセット補正値推定手段と、
前記Ｐ個の補正値を平均化し、その平均化結果を各系統共通の周波数オフセットの補正値として出力する合成手段と、
前記共通の補正値に基づいて受信信号の周波数オフセットを補正するＰ系統の周波数オフセット補正手段と、
前記補正後のＰ個の受信信号を受け取り、当該受信信号を、既知のアルゴリズムを利用した等化器を用いて復調する等化手段と、
を備え、
前記周波数オフセット補正値推定手段のそれぞれが、
前記所定の固定パターンとして、位置の異なる同一の第１固定パターンを受け取り、当該第１固定パターンを用いて受信信号の周波数オフセットを推定する第１の周波数オフセット推定手段と、
前記所定の固定パターンとして、前記第１の周波数オフセット推定手段に用いられる第１固定パターン以外でかつ位置の異なる、同一の第２固定パターンを受け取り、当該第２固定パターンを用いて受信信号の周波数オフセットを推定する第２の周波数オフセット推定手段と、
伝送路の状態に応じていずれか一方の周波数オフセットの推定値を選択する推定値選択手段と、
前記選択結果に基づいて前記推定値の出力を切り替える推定値切替え手段と、
を備えることを特徴とする無線通信用受信装置。
【請求項６】
さらに、前記合成手段にて所定回数にわたって計算された補正値を平均化する平均化手段と、
前記平均化結果をフィードバックして後続の受信信号の周波数オフセットを補正するＰ系統のフィードバック補正手段と、
を備え、
前記Ｐ系統の周波数オフセット補正手段が、前記Ｐ系統のフィードバック補正手段にて補正できなかった、それぞれ対応する周波数オフセット成分に対して補正を行うことを特徴とする請求項５に記載の無線通信用受信装置。
【請求項７】
さらに、前記合成手段にて所定回数にわたって計算された補正値を平均化する平均化手段、
を備え、
前記平均化結果に基づいて受信側における発振器を直接制御することで後続の受信信号の周波数オフセットを補正し、
さらに、前記Ｐ系統の周波数オフセット補正手段が、前記発振器にて補正できなかった、それぞれ対応する周波数オフセット成分に対して補正を行うことを特徴とする請求項５に記載の無線通信用受信装置。
【請求項８】
送信側から所定の固定パターンを含んだ信号を受け取り、当該所定の固定パターンを用いて周波数オフセットの補正値を推定するＰ（任意の整数）系統の周波数オフセット補正値推定手段と、
前記Ｐ個の補正値を平均化し、その平均化結果を各系統共通の周波数オフセットの補正値として出力する合成手段と、
前記合成手段にて所定回数にわたって計算された補正値を平均化する平均化手段と、
前記平均化結果をフィードバックして後続の受信信号の周波数オフセットを補正するＰ系統のフィードバック補正手段と、
前記補正後のＰ個の受信信号を受け取り、当該受信信号を、既知のアルゴリズムを利用した等化器を用いて復調する等化手段と、
を備え、
前記周波数オフセット補正値推定手段のそれぞれが、
前記所定の固定パターンとして、位置の異なる同一の第１固定パターンを受け取り、当該第１固定パターンを用いて受信信号の周波数オフセットを推定する第１の周波数オフセット推定手段と、
前記所定の固定パターンとして、前記第１の周波数オフセット推定手段に用いられる第１固定パターン以外でかつ位置の異なる、同一の第２固定パターンを受け取り、当該第２固定パターンを用いて受信信号の周波数オフセットを推定する第２の周波数オフセット推定手段と、
伝送路の状態に応じていずれか一方の周波数オフセットの推定値を選択する推定値選択手段と、
前記選択結果に基づいて前記推定値の出力を切り替える推定値切替え手段と、
を備えることを特徴とする無線通信用受信装置。
【請求項９】
前記推定値選択手段は、
固定パターンを利用して伝送路の遅延量を推定する伝送路遅延推定手段と、
固定パターンを利用して雑音電力を推定する雑音電力推定手段と、
前記伝送路遅延の推定値および前記雑音電力の推定値に基づいて、どちらの周波数オフセットの推定値を選択した方がよいか、を判定する推定値判定手段と、
を備えることを特徴とする請求項１〜８のいずれか一つに記載の無線通信用受信装置。
【請求項１０】
前記推定値選択手段は、
固定パターンを利用して伝送路の遅延量を推定する伝送路遅延推定手段と、
前記伝送路遅延の推定値に基づいて、どちらの周波数オフセットの推定値を選択した方がよいか、を判定する推定値判定手段と、
を備えることを特徴とする請求項１〜８のいずれか一つに記載の無線通信用受信装置。
【請求項１１】
前記伝送路遅延推定手段は、到来するパス単位に電力を推定し、さらに、最大電力のパスを含むＭ（Ｍは自然数）本のパスの電力に基づいてしきい値を計算し、当該しきい値より大きな電力をもつパスが含まれる範囲を伝送路遅延の推定値とすることを特徴とする請求項９または１０に記載の無線通信用受信装置。
【請求項１２】
前記伝送路遅延推定手段は、到来するパス単位に電力を推定し、さらに、前記雑音電力に基づいてしきい値を計算し、当該しきい値より大きな電力をもつパスが含まれる範囲を伝送路遅延の推定値とすることを特徴とする請求項９に記載の無線通信用受信装置。
【請求項１３】
前記伝送路遅延推定手段は、到来するパス単位に電力を推定し、さらに、最大電力のパスを含むＭ（Ｍは自然数）本のパスの電力、または前記雑音電力、に基づいてしきい値を計算し、当該しきい値より大きな電力をもつパスが含まれる範囲を伝送路遅延の推定値とすることを特徴とする請求項９に記載の無線通信用受信装置。
【発明の詳細な説明】
【０００１】
【発明の属する技術分野】
本発明は、自動車電話，携帯電話，コードレス電話等の無線通信分野に採用可能な受信装置に関するものであり、特に、周波数オフセット補正機能を有する無線通信用受信装置に関するものである。
【０００２】
【従来の技術】
以下、従来の無線通信用受信装置について説明する。たとえば、送信機では、音声を符号化したデータやインターネットのデータなどを含んだ情報データに対して伝送路符号化を実行し、送信するための信号を生成する。そして、その信号を変調後、内部の発振器の生成する周波数に基づいてアップコンバートを実行し、ここで得られる送信信号を、アンテナを経由して送信する。
【０００３】
その後、この送信信号は、アンテナを経由して受信機によって受け取られ、内部の発振器の生成する周波数に基づいてダウンコンバートされる。そして、ダウンコンバート後の受信信号は、アナログ／ディジタル変換器により、ディジタルの受信信号（以降、単に受信信号と呼ぶ）に変換される。
【０００４】
なお、一般的には、送信機内部の発振器と受信機内部の発振器との間には周波数のずれが存在する。このような場合、上記周波数のずれ、すなわち、周波数オフセットが、受信信号の歪みの原因となる。このため、品質の良い通信を実現されるためには、周波数オフセットを補正する必要がある。
【０００５】
さらに、自動車電話などの通信環境では、符号間干渉をともなう周波数選択性フェージングにより、受信信号に歪みが発生する場合がある。このような場合、受信機では、符号間干渉を考慮しつつ、周波数オフセットの補正処理および復調処理を行う必要がある。
【０００６】
周波数オフセット補正機能を有した従来の受信装置としては、たとえば、特開平１０−１６３８１６号公報に記載された自動周波数制御回路（以降、従来の受信装置と呼ぶ）がある。この例では、送信装置側が、プリアンブルパターンとして、固定のＰＮ信号のパターンを繰り返し送信し、受信装置側が、プリアンブル期間中に復調された１周期前のＰＮ信号の成分と、現在のＰＮコードの信号成分と、をもとに１シンボルあたりの位相差を求める。従来の受信装置では、この位相差に基づいて、データ期間中にシンボル単位で位相の補正を行う。
【０００７】
【発明が解決しようとする課題】
しかしながら、上記、従来の受信装置においては、プリアンブルパターンを利用してもとめた位相差に基づいて位相の補正を行う一方で、たとえば、周波数オフセットの推定精度を向上させるためにプリアンブル期間を長くすると、情報の伝送効率が劣化し、逆に、情報の伝送効率を向上させるためにプリアンブル期間を短くすると、周波数オフセットの推定精度が劣化し、いずれにしても通信品質が悪くなる、という問題があった。
【０００８】
本発明は、上記に鑑みてなされたものであって、たとえば、周波数選択性フェージングの存在する通信環境下においても、精度良く周波数オフセットを推定し、かつ正確に周波数オフセットを補正することにより、良好な通信品質を実現することが可能な無線通信用受信装置を得ることを目的とする。
【０００９】
【課題を解決するための手段】
上述した課題を解決し、目的を達成するために、本発明にかかる無線通信用受信装置にあっては、送信側から所定の固定パターンを含んだ信号を受け取り、その後、周波数オフセットの推定処理に利用する固定パターンの組み合わせを伝送路の状態に応じて選択し、当該固定パターンの組み合わせを用いて計算した周波数オフセットの推定結果を、正式な周波数オフセットの補正値として出力する周波数オフセット補正値推定手段（後述する実施の形態の周波数オフセット補正値推定部２１に相当）と、前記補正値に基づいて受信信号の周波数オフセットを補正する周波数オフセット補正手段（周波数オフセット補正部２２に相当）と、前記補正後の受信信号を受け取り、当該受信信号を所定のアルゴリズムを用いて復調する等化手段（等化器２３に相当）と、を備えることを特徴とする。
【００１０】
つぎの発明にかかる無線通信用受信装置にあっては、さらに、前記周波数オフセット補正値推定手段にて所定回数にわたって計算された補正値を平均化する平均化手段（平均化部５１に相当）と、前記平均化結果をフィードバックして後続の受信信号の周波数オフセットを補正するフィードバック補正手段（周波数オフセット補正部５２に相当）と、を備え、前記周波数オフセット補正手段が、前記フィードバック補正手段にて補正できなかった周波数オフセット成分に対して補正を行うことを特徴とする。
【００１１】
つぎの発明にかかる無線通信用受信装置にあっては、さらに、前記周波数オフセット補正値推定手段にて所定回数にわたって計算された補正値を平均化する平均化手段、を備え、前記平均化結果に基づいて受信側における発振器を直接制御することで後続の受信信号の周波数オフセットを補正し、さらに、前記周波数オフセット補正手段が、前記発振器にて補正できなかった周波数オフセット成分に対して補正を行うことを特徴とする。
【００１２】
つぎの発明にかかる無線通信用受信装置にあっては、送信側から所定の固定パターンを含んだ信号を受け取り、その後、周波数オフセットの推定処理に利用する固定パターンの組み合わせを伝送路の状態に応じて選択し、当該固定パターンの組み合わせを用いて計算した周波数オフセットの推定結果を、正式な周波数オフセットの補正値として出力する周波数オフセット補正値推定手段（周波数オフセット補正値推定部２１に相当）と、前記周波数オフセット補正値推定手段にて所定回数にわたって計算された補正値を平均化する平均化手段（平均化部５１に相当）と、前記平均化結果をフィードバックして後続の受信信号の周波数オフセットを補正するフィードバック補正手段（周波数オフセット補正部５２に相当）と、前記補正後の受信信号を受け取り、当該受信信号を所定のアルゴリズムを用いて復調する等化手段（等化器２３に相当）と、を備えることを特徴とする。
【００１３】
つぎの発明にかかる無線通信用受信装置にあっては、送信側から所定の固定パターンを含んだ信号を受け取り、その後、周波数オフセットの推定処理に利用する固定パターンの組み合わせを伝送路の状態に応じて選択し、当該固定パターンの組み合わせを用いて計算した周波数オフセットの推定結果を、周波数オフセットの補正値として出力するＰ（任意の整数）系統の周波数オフセット補正値推定手段（周波数オフセット補正値推定部２１ａ，…，２１ｂに相当）と、前記Ｐ個の補正値を平均化し、その平均化結果を各系統共通の周波数オフセットの補正値として出力する合成手段（合成部２４に相当）と、前記共通の補正値に基づいて受信信号の周波数オフセットを補正するＰ系統の周波数オフセット補正手段（周波数オフセット補正部２２ａ，…，２２ｂに相当）と、前記補正後のＰ個の受信信号を受け取り、当該受信信号を所定のアルゴリズムを用いて復調する等化手段（等化器２３ａに相当）と、を備えることを特徴とする。
【００１４】
つぎの発明にかかる無線通信用受信装置にあっては、さらに、前記合成手段にて所定回数にわたって計算された補正値を平均化する平均化手段（平均化部５１に相当）と、前記平均化結果をフィードバックして後続の受信信号の周波数オフセットを補正するＰ系統のフィードバック補正手段（周波数オフセット補正部５２ａ，…，５２ｂに相当）と、を備え、前記Ｐ系統の周波数オフセット補正手段が、前記Ｐ系統のフィードバック補正手段にて補正できなかった、それぞれ対応する周波数オフセット成分に対して補正を行うことを特徴とする。
【００１５】
つぎの発明にかかる無線通信用受信装置にあっては、さらに、前記合成手段にて所定回数にわたって計算された補正値を平均化する平均化手段、を備え、前記平均化結果に基づいて受信側における発振器を直接制御することで後続の受信信号の周波数オフセットを補正し、さらに、前記Ｐ系統の周波数オフセット補正手段が、前記発振器にて補正できなかった、それぞれ対応する周波数オフセット成分に対して補正を行うことを特徴とする。
【００１６】
つぎの発明にかかる無線通信用受信装置にあっては、送信側から所定の固定パターンを含んだ信号を受け取り、その後、周波数オフセットの推定処理に利用する固定パターンの組み合わせを伝送路の状態に応じて選択し、当該固定パターンの組み合わせを用いて計算した周波数オフセットの推定結果を、周波数オフセットの補正値として出力するＰ（任意の整数）系統の周波数オフセット補正値推定手段（周波数オフセット補正値推定部２１ａ，…，２１ｂに相当）と、前記Ｐ個の補正値を平均化し、その平均化結果を各系統共通の周波数オフセットの補正値として出力する合成手段（合成部２４に相当）と、前記合成手段にて所定回数にわたって計算された補正値を平均化する平均化手段（平均化部５１に相当）と、前記平均化結果をフィードバックして後続の受信信号の周波数オフセットを補正するＰ系統のフィードバック補正手段（周波数オフセット補正部５２ａ，…，５２ｂに相当）と、前記補正後のＰ個の受信信号を受け取り、当該受信信号を所定のアルゴリズムを用いて復調する等化手段（等化器２３ａに相当）と、を備えることを特徴とする。
【００１７】
つぎの発明にかかる無線通信用受信装置において、前記周波数オフセット補正値推定手段は、位置の異なる同一の固定パターンを用いて受信信号の周波数オフセットを推定する第１の周波数オフセット推定手段（第１の周波数オフセット推定部３１に相当）と、前記第１の周波数オフセット推定手段に用いられる固定パターン以外、かつ位置の異なる同一の固定パターン、を用いて受信信号の周波数オフセットを推定する第２の周波数オフセット推定手段（第２の周波数オフセット推定部３２に相当）と、伝送路の状態に応じていずれか一方の周波数オフセットの推定値を選択する推定値選択手段（推定方式選択部３３に相当）と、前記選択結果に基づいて前記推定値の出力を切り替える推定値切替え手段（補正値切替え部３４に相当）と、を備えることを特徴とする。
【００１８】
つぎの発明にかかる無線通信用受信装置において、前記推定値選択手段は、固定パターンを利用して伝送路の遅延量を推定する伝送路遅延推定手段（伝送路遅延推定部４１に相当）と、固定パターンを利用して雑音電力を推定する雑音電力推定手段（雑音電力推定部４２に相当）と、前記伝送路遅延の推定値および前記雑音電力の推定値に基づいて、どちらの周波数オフセットの推定値を選択した方がよいか、を判定する推定値判定手段（推定方式判定部４３に相当）と、を備えることを特徴とする。
【００１９】
つぎの発明にかかる無線通信用受信装置において、前記推定値選択手段は、固定パターンを利用して伝送路の遅延量を推定する伝送路遅延推定手段と、前記伝送路遅延の推定値に基づいて、どちらの周波数オフセットの推定値を選択した方がよいか、を判定する推定値判定手段と、を備えることを特徴とする。
【００２０】
つぎの発明にかかる無線通信用受信装置において、前記伝送路遅延推定手段は、到来するパス単位に電力を推定し、さらに、最大電力のパスを含むＭ（Ｍは自然数）本のパスの電力に基づいてしきい値を計算し、当該しきい値より大きな電力をもつパスが含まれる範囲を伝送路遅延の推定値とすることを特徴とする。
【００２１】
つぎの発明にかかる無線通信用受信装置において、前記伝送路遅延推定手段は、到来するパス単位に電力を推定し、さらに、前記雑音電力に基づいてしきい値を計算し、当該しきい値より大きな電力をもつパスが含まれる範囲を伝送路遅延の推定値とすることを特徴とする。
【００２２】
つぎの発明にかかる無線通信用受信装置において、前記伝送路遅延推定手段は、到来するパス単位に電力を推定し、さらに、最大電力のパスを含むＭ（Ｍは自然数）本のパスの電力、または前記雑音電力、に基づいてしきい値を計算し、当該しきい値より大きな電力をもつパスが含まれる範囲を伝送路遅延の推定値とすることを特徴とする。
【００２３】
【発明の実施の形態】
以下に、本発明にかかる無線通信用受信装置の実施の形態を図面に基づいて詳細に説明する。なお、この実施の形態によりこの発明が限定されるものではない。
【００２４】
実施の形態１．
図１は、本発明にかかる無線通信用受信装置（以降、単に受信装置と呼ぶ）の実施の形態１の構成（（ａ）参照）と、既知の無線通信用送信装置（以降、単に送信装置と呼ぶ）の構成（（ｂ）参照）を示す図である。図１（ａ）において、１は受信装置であり、２はアンテナであり、３は発振器であり、４はダウンコンバート部であり、５はＡ／Ｄ変換部であり、６は復調部であり、７は誤り訂正部である。また、図１（ｂ）において、１１は送信装置であり、１２は送信データ生成部であり、１３は変調部であり、１４は発振器であり、１５はアップコンバート部であり、１６はアンテナである。
【００２５】
ここで、上記受信装置１および送信装置１１における主要部の基本動作を簡単に説明する。たとえば、送信装置１１では、まず、送信データ生成部１２が、音声を符号化したデータやインターネットのデータ等を含む情報データに対して伝送路符号化を実施することで、送信データを生成する。つぎに、変調部１３が、送信データ生成部１２出力の送信データを変調し、さらに、アップコンバート部１５が、発振器１４の生成する周波数に基づいて変調後の送信データをアップコンバートし、アップコンバート後の送信信号を、アンテナ１６を経由して送信する。
【００２６】
一方、上記本発明にかかる受信装置１では、アンテナ２を経由して上記送信信号を受け取り、まず、ダウンコンバート部４が、発振器３の生成する周波数に基づいて受け取った信号をダウンコンバートする。つぎに、アナログ／ディジタル変換部５（以降、Ａ／Ｄ変換部５と呼ぶ）が、ダウンコンバート後のアナログ信号をディジタル信号（以降、単に受信信号と呼ぶ）に変換し、さらに、復調部６が、Ａ／Ｄ変換後の受信信号を復調し（本発明の特徴である復調部６の詳細については後述する）、最後に、誤り訂正部７が、復調後の信号に対してデインターリーブ処理および復号処理等の誤り訂正処理を行う。
【００２７】
図２は、上記送信装置１１によって生成される送信フレームフォーマットの一例を示す図である。たとえば、トレーニング信号２０１は、受信装置１側において既知の信号であり、固定パターン２０１ａおよび固定パターン２０１ｃと、その間に挟まれた任意の固定パターン２０１ｂと、から構成される。また、トレーニング信号２０１の両側には、情報信号２０２ａと情報信号２０２ｂがあり、さらにその外側には、固定パターン２０３ａと固定パターン２０３ｂがある。また、本実施の形態では、固定パターン２０１ａと固定パターン２０１ｃ、固定パターン２０３ａと固定パターン２０３ｂは、それぞれ同じパターンである必要がある。なお、固定パターン２０１ｂはなくてもよい。
【００２８】
ここで、上記図２の送信フレームフォーマットの具体例を示す。たとえば、送信フレームフォーマットは、
０００ＸＸＸＸＸＸＸＸＸ０１０１１１０  １１０１０  ０１０１１１０ＸＸＸＸＸＸＸＸＸ０００
のように表すことができる。ただし、ＸＸ…ＸＸＸは、情報信号２０２ａおよび２０２ｂを表し、情報信号の外側の“０００”は、固定パターン２０３ａおよび２０３ｂを表し、情報信号の内側の“０１０１１１０”は、固定パターン２０１ａおよび２０１ｃを表し、中心の“１１０１０”は、任意の固定パターン２０１ｂを表す。
【００２９】
一方、図３は、図２とは異なる、上記送信装置１１によって生成される送信フレームフォーマットの一例を示す図である。ここでは、送信フレームが、トレーニング信号３０１、情報信号３０２、固定パターン３０３で構成される。たとえば、トレーニング信号３０１は、受信装置１側において既知の信号であり、固定パターン３０１ａおよび３０１ｃと、その間に挟まれた任意の固定パターン３０１ｂと、から構成される。トレーニング信号３０１では、固定パターン３０３と同じパターンを一部含んでいる必要がある。なお、この条件を満たせば、固定パターン３０１ｂはなくてもよい。
【００３０】
ここで、上記図３の送信フレームフォーマットの具体例を示す。たとえば、送信フレームフォーマットは、
０１０１１００  ０１０１０  ０１０１１００ＸＸＸＸＸＸＸＸＸＸＸＸＸＸＸＸＸＸＸ０００
のように表すことができる。ただし、ＸＸ…ＸＸＸは、情報信号３０２を表し、情報信号３０２の右側の“０００”は、固定パターン３０３を表し、情報信号３０２の左側の“０１０１１００”は、固定パターン３０１ａおよび固定パターン３０１ｃを表し、固定パターン３０１ａおよび固定パターン３０１ｃの間の“０１０１０”は、任意の固定パターン３０１ｂを表す。また、トレーニング信号３０１では、固定パターン３０３と同じ“０００”を含んでいる。
【００３１】
以降、図２に示す送信フレームフォーマットを受け取った場合における、受信装置１の復調部６の動作を詳細に説明する。図４は、実施の形態１の復調部６の構成を示す図である。図４において、２１は周波数オフセット補正値推定部であり、２２は周波数オフセット補正部であり、２３は等化器である。また、周波数オフセット補正値推定部２１において、３１は第１の周波数オフセット推定部であり、３２は第２の周波数オフセット推定部であり、３３は推定方式選択部であり、３４は補正値切替え部である。
【００３２】
たとえば、第１の周波数オフセット推定部３１では、受信信号（図２の送信フレームフォーマット参照）に含まれる固定パターン２０１ａと固定パターン２０１ｃを利用して、以下の（１）（２）式のように、周波数オフセットを推定する。
0003866908.tif 000002
【００３３】
ただし、Ｎ１１は受信信号ｒ（ｎ）における固定パターン２０１ａの先頭位置に相当する時間を表し、Ｎ１３は受信信号ｒ（ｎ）における固定パターン２０１ｃの先頭位置に相当する時間を表し、ＣＯＮＪＧ｛ｒ（Ｎ１１＋ｉ）｝は複素数ｒ（Ｎ１１＋ｉ）の複素共役を表し、Ｒｅ（Ｆ１）は複素数Ｆ１の実部を表し、Ｉｍ（Ｆ１）は複素数Ｆ１の虚部を表し、ａｒｃｔａｎ｛Ｉｍ（Ｆ１）／Ｒｅ（Ｆ１）｝は実数Ｉｍ（Ｆ１）／Ｒｅ（Ｆ１）の逆正接を表す。また、（１）式のΣは、ｉ＝Ｌからｉ＝Ｎ１−１までの総和を計算することとし、このとき、Ｎ１は固定パターン２０１ａおよび２０１ｃの長さを表し、Ｌは伝送路で発生する有効な遅延波の最大遅延時間に相当する長さを表す。
【００３４】
このようにして、（１）式によりもとめられたＦ１は、（Ｎ１３−Ｎ１１）シンボル間に生じる位相回転量の推定値（複素数）を、受信信号の電力に相当する重みで合成した結果を示す。そして、式（２）によりもとめられたｆ１は、１シンボル間に生じる位相回転量の推定値（角度）を示す。
【００３５】
一方、第２の周波数オフセット推定部３２では、受信信号（図２の送信フレームフォーマット参照）に含まれる固定パターン２０３ａと固定パターン２０３ｂを利用して、以下の（３）（４）式のように、周波数オフセットを推定する。
0003866908.tif 000003
【００３６】
ただし、Ｎ３１は受信信号ｒ（ｎ）における固定パターン２０３ａの先頭位置に相当する時間を表し、Ｎ３２は受信信号ｒ（ｎ）における固定パターン２０３ｂの先頭位置に相当する時間を表し、Ｎ３は固定パターン２０３ａおよび２０３ｂの長さを表す。
【００３７】
このようにして（３）式によりもとめられたＦ３は、（Ｎ３２−Ｎ３１）シンボル間に生じる位相回転量の推定値（複素数）を示す。そして、（４）式によりもとめられたｆ３は、１シンボル間に生じる位相回転量の推定値（角度）を示す。
【００３８】
推定方式選択部３３では、受信信号に含まれるトレーニング信号を利用して、第１の周波数オフセット推定部３１の出力する周波数オフセットの推定値か、または、第２の周波数オフセット推定部３２の出力する周波数オフセットの推定値、のいずれかを選択する。
【００３９】
補正値切替え部３４では、推定方式選択部３３による選択結果に基づいて、周第１の波数オフセット推定部３１が出力する周波数オフセットの推定値か、または、第２の周波数オフセット推定部３２が出力する周波数オフセットの推定値の、いずれかに出力を切り替え、ここで選択された一方の推定値を、補正値として後続の周波数オフセット補正部２２に対して出力する。
【００４０】
周波数オフセット補正部２２では、補正値切替え部３４が出力する補正値に基づいて、以下の（５）式を用いて受信信号の補正を行う。
0003866908.tif 000004
ただし、ｊは（−１）の平方根であり、ｒ’（ｎ）は補正後の受信信号を表し、ｆは補正値切替え部３４が出力する補正値を表す。
【００４１】
最後に、等化器２３では、周波数オフセットによるひずみが補正された状態の受信信号を受け取り、その後、周波数選択性フェージングなどのマルチパスによるひずみを考慮して復調を行い、その復調結果を、後続の誤り訂正部７に対して出力する。なお、等化器２３の構成は、上記に限定するものではなく、公知の技術である最尤系列推定（ＭＬＳＥ：Maximum-Likelihood Sequence Estimation）、判定帰還型系列推定（DFSE：Decision-Feedback Sequence Estimation もしくは DDFSE：Delayed Decision-Feedback Sequence Estimation）、判定帰還型等化器（DFE：Decision-Feedback Equalizer）、RSSE（Reduced-State Sequence Estimation）、リスト出力ビタビ等化器（LVE：List-output Viterbi Equalizer）、Mアルゴリズムを利用した等化器、SOVA（Soft-Output Viterbi Algorithm）、MAP（Maximum a Posteriori）やMax-log-MAPやLog-MAPなどのアルゴリズムを利用した軟判定出力等化器、およびこれらの等化器を変形した等化器等、を利用することが可能である。また、誤り訂正部７を含めた構成を用いて、Turbo Equalizerや誤り訂正機能を結合した等化器を利用することとしてもよい。
【００４２】
つぎに、上記各周波数オフセットの推定値の選択方法について説明する。図５は、上記推定方式選択部３３の構成例を示す図である。図５において、４１は伝送路遅延推定部であり、４２は雑音電力推定部であり、４３は推定方式判定部である。
【００４３】
まず、伝送路遅延推定部４１では、受け取った受信信号に含まれるトレーニング信号を利用して、伝送路の最大有効遅延波の遅延時間を推定し、その結果を伝送路遅延時間として、推定方式判定部４３に対して出力する。一方、雑音電力推定部４２では、受け取った受信信号に含まれるトレーニング信号を利用して雑音電力を推定し、その結果を推定方式判定部４３に対して出力する。そして、推定方式判定部４３では、第１の周波数オフセット推定部３１が出力する周波数オフセットの推定値か、または、第２の周波数オフセット推定部３２が出力する周波数オフセットの推定値、のどちらを選択した方がよいかを、受け取った雑音電力推定値および伝送路遅延推定値に基づいて判定する。
【００４４】
ここで、上記推定方式選択部３３内の動作を、たとえば、固定パターン２０３ａおよび２０３ｂ間の長さをＮ３＝３とし、固定パターン２０１ａおよび２０１ｃ間の長さＮ１＝１０とし、さらに、（Ｎ１３−Ｎ１１）に比べ（Ｎ３２−Ｎ３１）の方が非常に大きい場合を例として、具体的に説明する。
【００４５】
この場合、推定精度に関しては、第２の周波数オフセット推定部３２出力の推定値の方が、（Ｎ３２−Ｎ３１）シンボル間隔に生じる位相回転量から１シンボル間隔に生じる位相回転量を計算するため、精度良く推定できる。しかしながら、Ｎ３よりも伝送路の最大有効遅延波の遅延時間が大きいような場合には、遅延波の影響のため、第２の周波数オフセット推定部３２出力の推定値の推定精度が劣化し、もう一方の第１の周波数オフセット推定部３１出力の推定値の方が、精度よく推定できる。
【００４６】
そこで、推定方式判定部４３では、伝送路遅延の推定値が固定パターン２０３ａおよび２０３ｂ間の長さＮ３より大きいような場合、もしくは、雑音電力の推定値が特定のしきい値より大きいような場合に、第１の周波数オフセット推定部３１出力の周波数オフセットの推定値を選択する。そして、それ以外の場合には、第２の周波数オフセット推定３２出力の周波数オフセットの推定値を選択する。
【００４７】
つぎに、上記伝送路遅延の推定方法について説明する。図６は、伝送路遅延推定部４１における伝送路遅延の推定方法を示す図である。図６において、６０１ａ，６０１ｂ，６０１ｃ，６０１ｄ，６０１ｅ，６０１ｆはパス電力であり、６０２は電力のしきい値である。
【００４８】
伝送路遅延推定部４１では、受信信号とトレーニング信号とをもとにして、パス電力を推定する。図示のパス電力６０１ａ〜６０１ｆは推定結果であり、横軸は時間を示している。この場合、パス電力６０１ａは、直接到来するパスの電力であり、パス電力６０１ｆは、最も遅延時間の大きなパスの電力である。つぎに、伝送路遅延推定部４１では、パス電力６０１ａ〜６０１ｃの電力和を計算し、この電力和に固定の定数をかけた値をしきい値６０２とする。そして、しきい値６０２より大きな電力を持つパスまでの範囲をこの伝送路の遅延量とする。これにより、正確な遅延量を知ることができ、推定方式判定部４３にて明確な判定基準を設けることができるため、推定方式選択部３３が、補正値切替え部３４の切り替え制御を容易かつ高精度に実施できる。
【００４９】
なお、他の伝送路遅延の推定方法としては、たとえば、雑音電力推定部４２にて計算した雑音電力に固定の定数をかけた値をしきい値６０２とし、この状態で、しきい値６０２より大きな電力を持つパスまでの範囲を伝送路の遅延量とすることも可能である。
【００５０】
また、上記２例と異なる伝送路遅延の推定方法としては、たとえば、パス電力６０１ａ〜６０１ｃの電力和と、雑音電力推定部４２にて計算した雑音電力と、を比較し、値の大きい方に固定の定数をかけた値をしきい値６０２とし、この状態で、しきい値６０２より大きな電力を持つパスまでの範囲を伝送路の遅延量とすることとしてもよい。
【００５１】
このように、本実施の形態においては、伝送路の状態などの通信条件により利用する周波数オフセットの推定値を選択し、さらに、選択された周波数オフセットの推定値に基づいて、受信信号における周波数オフセットに依存したひずみを補正することで、マルチパスによる符号間干渉が存在するような通信環境においても、良好な通信品質を実現できる。
【００５２】
なお、本実施の形態においては、各周波数オフセット推定部にて実際に（２）式および（４）式の計算を行ったが、これに限らず、たとえば、その計算結果をＲＯＭテーブルに置き換えておくことで実現することとしてもよい。
【００５３】
また、本実施の形態においては、上記のように、両方の周波数オフセット推定部を動作させたが、これに限らず、たとえば、推定方式選択部３３にて選択された、第１の周波数オフセット推定部３１および第２の周波数オフセット推定部３２のいずれか一方だけを動作させることとしてもよい。
【００５４】
また、推定方式判定部４３は、伝送路遅延の推定値のみから、使用する周波数オフセットの推定値を判定することとしてもよいし、逆に、雑音電力の推定値のみから、使用する周波数オフセットの推定値を判定することとしてもよい。
【００５５】
また、推定方式選択部３３では、上記伝送路の状態だけでなく、利用する周波数帯によって周波数オフセットの推定値を選択することとしてもよい。通常、周波数オフセット量は、利用する周波数帯に比例して大きくなるため、たとえば、高い方の周波数帯を利用する場合に、第１の周波数オフセット推定部３１出力の周波数オフセットの推定値を使用し、低い方の周波数帯を利用する場合に、第２の周波数オフセット推定部３２出力の周波数オフセットの推定値を使用する。これは、周波数オフセットによる位相回転量が大きく、（Ｎ３２−Ｎ３１）シンボル間隔に生じる位相回転量がπを超えてしまう場合に、第２の周波数オフセット推定部３２にて、周波数オフセットを正確に推定することができなくなるからである。
【００５６】
また、本実施の形態においては、周波数オフセット補正値推定部２１が、（１）式〜（４）式の処理を行ったが、これに限らず、たとえば、周波数オフセット補正値推定部２１が、（１）式および（３）式の処理を行うことで複素数の周波数オフセットの推定値を出力し、その後、周波数オフセット補正部２２が、（２）式および（４）式の処理を行うこととしてもよい。
【００５７】
実施の形態２．
図７は、本発明にかかる受信装置の実施の形態２の構成を示す図であり、詳細には、実施の形態２における復調部６の構成を示す図である。図７において、５１は平均化部であり、５２は周波数オフセット補正部である。なお、その他の構成については、先に説明した実施の形態１の図４と同様であるため、同一の符号を付してその説明を省略する。以降、本実施の形態では、前述の実施の形態１と異なる部分についてのみ説明を行う。
【００５８】
たとえば、平均化部５１では、前述の周波数オフセット補正値推定部２１が出力する周波数オフセット補正値に対して平均化を実施する。また、周波数オフセット補正部５２では、平均化部５１が出力する平均値に基づいて、以下の（６）（７）式を用いて受信信号を補正する。
0003866908.tif 000005
【００５９】
ただし、Δｆ（ｍ）はｍ番目のフレームにおいて平均化部５１が出力する周波数オフセット補正値であり、ｆ（ｍ）はｍ番目のフレームにおいて周波数オフセット補正部２２が受信信号の補正に利用するための周波数オフセット補正値である。
【００６０】
なお、本実施の形態においては、周波数オフセット補正部２２が、周波数オフセット補正部５２にて補正できなかった周波数オフセット成分に対して、受信信号の補正を行う。また、周波数オフセット補正部２２を省いた構成とすることで回路構成を簡素化することとしてもよい。
【００６１】
このように、本実施の形態においては、実施の形態１と同様の効果が得られるとともに、複数フレームにわたって周波数オフセットの推定値を平均化することで、より精度の高い周波数オフセットの推定が可能となり、さらに、この推定値をもとに周波数オフセットを補正することで、より良好な通信品質を実現できる。
【００６２】
なお、本実施の形態においては、周波数オフセット補正部５２にて周波数オフセットの補正を行っているが、これに限らず、たとえば、ここでは、周波数オフセット補正部５２を設ける代わりに、発振器３の周波数を直接制御することとしてもよい。
【００６３】
また、本実施の形態においては、周波数オフセット補正値推定部２１が、（１）式および（３）式の処理を行うことで複素数の周波数オフセットの推定値を出力し、その後、周波数オフセット補正部２２または周波数オフセット補正部５２が、（２）式および（４）式の処理を行うこととしてもよい。
【００６４】
実施の形態３．
図８は、本発明にかかる受信装置の実施の形態３の構成を示す図である。図８において、１ａは受信装置であり、２ａ，…，２ｂはＰ個（任意の整数）のアンテナであり、３は発振器であり、４ａ，…，４ｂはＰ個のダウンコンバート部であり、５ａ，…，５ｂはＰ個のＡ／Ｄ変換部であり、６ａは復調部であり、７は誤り訂正部である。
【００６５】
ここで、上記受信装置１ａにおける主要部の基本動作を簡単に説明する。上記本発明にかかる受信装置１ａでは、Ｐ個のアンテナ２ａ，…，２ｂを経由してＰ個の送信信号を受け取り、まず、ダウンコンバート部４ａ，…，４ｂが、発振器３の生成する周波数に基づいて受け取ったＰ個の信号をそれぞれダウンコンバートする。つぎに、Ａ／Ｄ変換部５ａ，…，５ｂ，が、ダウンコンバート後のＰ個のアナログ信号をそれぞれディジタル信号（以降、単に受信信号と呼ぶ）に変換し、さらに、復調部６ａが、Ａ／Ｄ変換後のＰ個の受信信号を用いて復調処理を行い（本発明の特徴である復調部６ａの詳細については後述する）、最後に、誤り訂正部７が、復調後の信号に対してデインターリーブ処理および復号処理等の誤り訂正処理を行う。
【００６６】
つぎに、受信装置１ａ内の復調部６ａの動作を詳細に説明する。図９は、実施の形態３の復調部６ａの構成を示す図である。図９において、２１ａ，…，２１ｂはＰ個の周波数オフセット補正値推定部であり、２２ａ，…，２２ｂはＰ個の周波数オフセット補正部であり、２３ａは等化器であり、２４は合成部である。なお、上記各周波数オフセット補正値推定部の構成および動作については、先に説明した周波数オフセット補正値推定部２２と同様であるため、同一の符号を付してその説明を省略する。
【００６７】
周波数オフセット補正値推定部２１ａ〜２１ｂでは、それぞれに対応した受信信号を受け取り、個別に前述した実施の形態１の周波数オフセット補正値推定部２１と同様の処理を行い、それぞれ周波数オフセットの補正値を出力する。合成部２４では、周波数オフセット補正値推定部２１ａ〜２１ｂから出力されるＰ個の周波数オフセットの補正値を受け取り、その後、それらの補正値の平均を計算し、この平均値を周波数オフセットの補正値として出力する。
【００６８】
周波数オフセット補正部２２ａ〜２２ｂでは、それぞれに対応した受信信号と、上記平均値と、を受け取り、個別に前述した実施の形態１の周波数オフセット補正部２２と同様の処理を行い、それぞれ周波数オフセットの補正処理を行う。最後に、等化器２３ａでは、補正後のＰ個の受信信号を受け取り、周波数選択性フェージングなどのマルチパスによるひずみを考慮して復調を行い、その復調結果を誤り訂正部７に対して出力する。なお、等化器については、先に説明した実施の形態１と同一のものを使用することとする。
【００６９】
このように、本実施の形態においては、実施の形態１と同様の効果が得られるとともに、たとえば、ダイバーシチ受信が可能な構成を備えることで、さらに品質の良い通信を実現することが可能となる。
【００７０】
なお、前述した実施の形態１と同様に、周波数オフセット補正値推定部２１ａ〜２１ｂが、（１）式および（３）式の処理だけを行う構成とした場合、合成部２４では、Ｐ個の複素数の周波数オフセットの推定値の総和を計算し、その総和を共通の複素数の周波数オフセットの推定値として出力する。そして、周波数オフセット補正部２２ａ〜２２ｂでは、それぞれに対応した受信信号と上記総和とを受け取り、前述した実施の形態１と同様に、個別に（２）式および（４）式の処理を行う。
【００７１】
実施の形態４．
図１０は、本発明にかかる受信装置の実施の形態４の構成を示す図であり、詳細には、実施の形態４における復調部６ａの構成を示す図である。図１０において、５１は平均化部であり、５２ａ，…，５２ｂは周波数オフセット補正部である。なお、その他の構成については、先に説明した実施の形態３の図９と同様であるため、同一の符号を付してその説明を省略する。以降、本実施の形態では、前述の実施の形態３と異なる部分についてのみ説明を行う。
【００７２】
たとえば、平均化部５１では、前述の合成部２４が出力する周波数オフセット補正値に対して平均化を実施する。また、Ｐ個の周波数オフセット補正部５２ａ，…，５２ｂでは、平均化部５１が出力する共通の補正値に基づいて、個別に、前述した（６）（７）式を用いて受信信号を補正する。
【００７３】
なお、本実施の形態においては、周波数オフセット補正部２２ａ，…，２２ｂが、周波数オフセット補正部５２ａ，…，５２ｂにて補正できなかった周波数オフセット成分に対して、それぞれ受信信号の補正を行う。また、周波数オフセット補正部２２ａ，…，２２ｂを省いた構成とすることで回路構成を簡素化することとしてもよい。
【００７４】
このように、本実施の形態においては、実施の形態３と同様のダイバーシチの効果が得られるとともに、複数フレームにわたって周波数オフセットの推定値を平均化することで、より精度の高い周波数オフセットの推定が可能となり、そして、この推定値をもとに周波数オフセットを補正することで、さらに品質の良い通信を実現することが可能となる。
【００７５】
【発明の効果】
以上、説明したとおり、本発明によれば、伝送路の状態などの通信条件により利用する周波数オフセットの推定値を選択し、さらに、選択された周波数オフセットの推定値に基づいて、受信信号における周波数オフセットに依存したひずみを補正することで、マルチパスによる符号間干渉が存在するような通信環境においても、良好な通信品質を実現できる、という効果を奏する。
【００７６】
つぎの発明によれば、複数フレームにわたって周波数オフセットの推定値を平均化することで、より精度の高い周波数オフセットの推定が可能となり、さらに、この推定値をもとに周波数オフセットを補正することで、より良好な通信品質を実現できる、という効果を奏する。
【００７７】
つぎの発明によれば、複数フレームにわたって周波数オフセットの推定値を平均化することで、より精度の高い周波数オフセットの推定が可能となり、さらに、この推定値をもとに発振器を直接制御することで、より良好な通信品質を実現できる、という効果を奏する。
【００７８】
つぎの発明によれば、周波数オフセット補正手段を省いた構成とすることで、従来の受信装置よりも良好な通信品質を実現しつつ、さらに、回路構成を簡素化することができる、という効果を奏する。
【００７９】
つぎの発明によれば、伝送路の状態などの通信条件により利用する周波数オフセットの推定値を選択し、選択された周波数オフセットの推定値に基づいて周波数オフセットに依存したひずみを補正する構成に加えて、さらに、ダイバーシチ受信が可能な構成を備えることで、さらに品質の良い通信を実現することができる、という効果を奏する。
【００８０】
つぎの発明によれば、複数フレームにわたって周波数オフセットの推定値を平均化することで、より精度の高い周波数オフセットを推定し、この推定値をもとに周波数オフセットを補正する構成に加えて、ダイバーシチ受信が可能な構成を備えることで、さらに品質の良い通信を実現することができる、という効果を奏する。
【００８１】
つぎの発明によれば、複数フレームにわたって周波数オフセットの推定値を平均化することで、より精度の高い周波数オフセットを推定し、この推定値をもとに発振器を直接制御する構成に加えて、ダイバーシチ受信が可能な構成を備えることで、さらに品質の良い通信を実現することができる、という効果を奏する。
【００８２】
つぎの発明によれば、周波数オフセット補正手段を省いた構成にするとともに、ダイバーシチ受信が可能な構成を備えることで、従来の受信装置よりも良好な通信品質を実現しつつ、さらに、回路構成を簡素化することができる、という効果を奏する。
【００８３】
つぎの発明によれば、後続の周波数オフセット補正手段が、推定値切替え手段出力の補正値に基づいて正確に受信信号を補正できるため、その後、等化手段により復調精度を大幅に向上させることができる、という効果を奏する。
【００８４】
つぎの発明によれば、たとえば、伝送路遅延の推定値と２つの固定パターン間の長さとの比較結果、もしくは、雑音電力の推定値とある特定のしきい値（電力）との比較結果、に基づいて、第１の周波数オフセット推定手段出力の周波数オフセットの推定値、または第２の周波数オフセット推定手段出力の周波数オフセットの推定値、のいずれか一方を選択する。これにより、周波数オフセットの推定精度を大幅に向上させることができるため、正確に周波数オフセットを補正できる、という効果を奏する。
【００８５】
つぎの発明によれば、たとえば、伝送路遅延の推定値と２つの固定パターン間の長さとの比較結果に基づいて、第１の周波数オフセット推定手段出力の周波数オフセットの推定値、または第２の周波数オフセット推定手段出力の周波数オフセットの推定値、のいずれか一方を選択する。これにより、周波数オフセットの推定精度を大幅に向上させることができるため、正確に周波数オフセットを補正できる、という効果を奏する。
【００８６】
つぎの発明によれば、到来パスの電力から明確な判定基準（しきい値）を設けることができ、さらに正確な遅延量を知ることができるため、推定値選択手段が、推定値切替え手段の切り替え制御を容易かつ高精度に実施できる、という効果を奏する。
【００８７】
つぎの発明によれば、雑音電力から明確な判定基準（しきい値）を設けることができ、さらに正確な遅延量を知ることができるため、推定値選択手段が、推定値切替え手段の切り替え制御を容易かつ高精度に実施できる、という効果を奏する。
【００８８】
つぎの発明によれば、到来パスの電力または雑音電力から明確な判定基準（しきい値）を設けることができ、さらに正確な遅延量を知ることができるため、推定値選択手段が、推定値切替え手段の切り替え制御を容易かつ高精度に実施できる、という効果を奏する。
【図面の簡単な説明】
【図１】  本発明にかかる受信装置の実施の形態１の構成と、既知の送信装置の構成を示す図である。
【図２】  送信装置によって生成される送信フレームフォーマットの一例を示す図である。
【図３】  送信装置によって生成される送信フレームフォーマットの一例を示す図である。
【図４】  実施の形態１の復調部の構成を示す図である。
【図５】  推定方式選択部の構成例を示す図である。
【図６】  伝送路遅延推定部における伝送路遅延の推定方法を示す図である。
【図７】  実施の形態２における復調部の構成を示す図である。
【図８】  本発明にかかる受信装置の実施の形態３の構成を示す図である。
【図９】  実施の形態３の復調部の構成を示す図である。
【図１０】  実施の形態４における復調部の構成を示す図である。
【符号の説明】
１，１ａ  受信装置、２，２ａ，２ｂ，１６  アンテナ、３，１４  発振器、４，４ａ，４ｂ  ダウンコンバート部、５，５ａ，５ｂ  Ａ／Ｄ変換部、６，６ａ  復調部、７  誤り訂正部、１１  送信装置、１２  送信データ生成部、１３変調部、１５  アップコンバート部、２１，２１ａ，２１ｂ  周波数オフセット補正値推定部、２２，２２ａ，２２ｂ  周波数オフセット補正部、２３，２３ａ  等化器、２４  合成部、３１  第１の周波数オフセット推定部、３２  第２の周波数オフセット推定部、３３  推定方式選択部、３４  補正値切替え部、４１  伝送路遅延推定部、４２  雑音電力推定部、４３  推定方式判定部、５１  平均化部、５２，５２ａ，５２ｂ  周波数オフセット補正部。
【図１】
0003866908.tif 000006
【図２】
0003866908.tif 000007
【図３】
0003866908.tif 000008
【図４】
0003866908.tif 000009
【図５】
0003866908.tif 000010
【図６】
0003866908.tif 000011
【図７】
0003866908.tif 000012
【図８】
0003866908.tif 000013
【図９】
0003866908.tif 000014
【図１０】
0003866908.tif 000015